(57)【特許請求の範囲】
【請求項１】
画素を０％〜９０％の間で選定した対象物の正対撮影画像の光軸をＬＯとし、該光軸ＬＯと、画素を９０％〜５％の間で選定した対象物の左側撮影画像と、右側撮影画像との各光軸をＬ１Ｏ、Ｌ２Ｏ、Ｌ３Ｏ、Ｌ４Ｏとして画素１００％の合成画像を作り、この合成画像上に、中心から３°〜６０°の間で選定した角度の左側撮影画像と右側撮影画像とを透明ニスで印刷して原版を作成し、この原版により印刷することを特徴とした正対感保持角度を拡げる印刷方法。
【請求項２】
画素を０％〜９０％の間で選定した対象物の正対撮影画像の光軸をＬＯとし、該光軸ＬＯと、画素を９０％〜５％の間で選定した対象物の左側撮影画像と、右側撮影画像との各光軸をＬ１Ｏ、Ｌ２Ｏ、Ｌ３Ｏ、Ｌ４Ｏとして画素１００％の合成画像を作り、この合成画像から作成した原版を用いて印刷したことを特徴とする正対感保持角度を拡げた印刷物。
【発明の詳細な説明】
【０００１】
【発明の属する技術分野】
この発明は、ポスター等の看者が、視覚的にポスター等に印刷された対象物に正対していると感じることができる角度を可及的に大きくすることを目的とした正対感保持角度を拡げる印刷方法と印刷物に関する。
【０００２】
【従来の技術】
従来、対象となる人物等を正面から撮影した一枚のネガに、左右方向（例えば、正面方向から左右に所定角度迄移動した方向）から重ねて撮影して合成し、対象物の立体感を表すようにした立体写真が知られている。
【０００３】
また、絵画において、絵画に正対して視たときのみならず、左右へ若干ずれて視たときにも、恰も絵画に描かれた対象物が看者に正対しているような感覚を与え、錯覚させる場合がある。
【０００４】
【発明により解決しようとする課題】
前記立体写真は、対象物の横方向も見えるようにして立体感を表す写真であって、対象物に正対していると感じる角度を拡げるものではない。
【０００５】
また、人物画などの絵画において、対象物に正対していると感じる感覚（本明細書中で「正対感」という）を得る角度が比較的拡がる場合は、当該画家の技法である。このような技法によって描かれた絵画から原版を起こし印刷すれば、ある程度の正対感を得ることはできるがその効果の軽減は避けられず、また、印刷技術のみによって正対感を表現することは困難であった。
【０００６】
【課題を解決するための手段】
この発明は、対象物の正対撮影画像の画素と、左側撮影画像の画素及び右側撮影画像の画素とを適度な割合に合成させて合成画像とすることにより、前記従来の立体写真とは関係なく、正対感を得ることができる新規な印刷技術を開発したである。
【０００７】
即ち方法の発明は、画素を０％〜９０％の間で選定した対象物の正対撮影画像の光軸をＬＯとし、該光軸ＬＯと、画素を９０％〜５％の間で選定した対象物の左側撮影画像と、右側撮影画像との各光軸をＬ１Ｏ、Ｌ２Ｏ、Ｌ３Ｏ、Ｌ４Ｏとして画素１００％の合成画像を作り、この合成画像上に、中心から３°〜６０°の間で選定した角度の左側撮影画像と右側撮影画像とを透明ニスで印刷して原版を作成し、この原版により印刷することを特徴とした正対感保持角度を拡げる印刷方法である。
【０００８】
また他の発明は、画素を０％〜９０％の間で選定した対象物の正対撮影画像の光軸をＬＯとし、該光軸ＬＯと、画素を９０％〜５％の間で選定した対象物の左側撮影画像と、右側撮影画像との各光軸をＬ１Ｏ、Ｌ２Ｏ、Ｌ３Ｏ、Ｌ４Ｏとして画素１００％の合成画像を作り、この合成画像から作成した原版を用いて印刷したことを特徴とする正対感保持角度を拡げた印刷物である。
【０００９】
ここで、正対撮影画像とは、対象物を正面（正対して）から撮影した画像であり、左側撮影画像、右側撮影画像とは夫々対象物の正面から左側、右側に移動した方向から撮影した画像をいう。
【００１０】
さらに、正対感保持角度とは、正対感を保持したまま印刷物（印刷された対象物）を視ることができる印刷物の正面方向からの角度をいう。
【００１１】
前記において正対撮影画像の画素が比較的少ない場合、例えば５０％の場合には、左側撮影画像の画素、右側撮影画像の画素は夫々２５％となるが、一方向から撮影した画像のみを２５％合成すると正対撮影画像との差が激しくなる。このため、例えば、正対方向の左側からの撮影を異なる３箇所で行い、夫々の画素を８％、８％、９％ずつ合成し、右側も同様に撮影し、同様の割合で合成して合成画像とすることができる。このようにした場合、合成される画像の枚数は、ここまでで、正対撮影画像１枚、左側撮影画像３枚、右側撮影画像３枚の計７枚となる。
【００１２】
また、原画を、正対方向から所定角度を隔てた左右方向から夫々撮影して画素を得、当該画素を前記正対撮影画像、左側撮影画像、右側撮影画像と合成して最終的な原版とすることができる。
【００１３】
前記発明において、正対撮影画像に対し、左側撮影画像と、右側撮影画像を所定割合の画素にして合成したが、上側撮影画像又は下側撮影画像の両方又は一方の画素を用いることもある。例えば、階段の中程に絵画がある場合には、上下角度の何れにおいても若干の角度では、正対感を得ることができる。
【００１４】
前記発明において、正対撮影画像の画素０％〜９０％に対し、左側及び右側の撮影画像の画素を９０％〜５％としたのは、原画が、若干左向き又は右向きの場合（左右対称ではない場合）にこれを修正することを目的とし、左側又は右側の画素のみを多目にできるようにするためである。例えば、正対撮影画像の画素を５０％とし、左側の画素を３５％、右側の画素を１５％とすることができる。
【００１５】
正対撮影画像の画素の比率が多くなると、印刷物が鮮明・明瞭に仕上がる。一方、左側撮影画像の画素、右側撮影画像の画素の比率が多くなると、印刷物が動く感じをより強く表現することができる。すなわち、印刷物を、印刷物の正面から左側または右側へ移動し、印刷物から離れて（およそ２ｍ以上の間隔）視たときであっても、より正対感を強く感じることができる。
【００１６】
このように、各撮影画像の画素の合成比率によって、仕上がる印刷物の効果が異なるため、各撮影画像の画素の合成比率は、印刷物の用途によって決定すればよい。
【００１７】
例えば、人（看者）の往来の方向に平行する状態で掲示される印刷物は、印刷物を正面から視ることは少ないと考えられる。このような場合であれば、正対撮影画像の画素の比率を０％とし、左側撮影画像の画素、右側撮影画像の画素のみを合成して印刷すれば、往来する人（看者）に対し、より強い正対感を与えることができる。
【００１８】
また、人の移動が決まった一方向である一方通行の場合には、人が向かってくる側の撮影画像の画素の合成比率を多くすることで、看者に対しより高い正対感を与える効果を発揮することができる。
【００１９】
さらに、各撮影画像の画素の合成比率を可変とする配慮によって、原画が正対撮影でない場合でも修正することができる。
【００２０】
【発明の実施の形態】
この発明は、対象物（例えば正対写真）を正面（正対状態）と、左右θずつずれた光軸で撮影し、正面（正対状態）で撮影した画像の画素を８０％、左右θずつずれた光軸の画像の画素を夫々５％ずつ入れて合成画像を作り、その上に透明ニスによる正対方向から２θずつ左右にずらして撮影した透明画素を左右５０％ずつ加えて合成画像として原版を作成する。
【００２１】
前記原版から所定の方法により印刷すれば、この発明の印刷物ができる。
【００２２】
前記おける印刷物は、対面者（看者）が、移動しても、印刷物の正対方向から左右２θの範囲内であれば正対感を保持することができた。
【００２３】
例えば、人物像のポスターにおいて、斜方向から（正対方向から２θずれて）視た場合も、その人物は看者に正対している（自分の方に向いている）ような錯覚を与えるので、ポスター掲示の効果は大きいものと認められた。
【００２４】
【実施例１】
この発明の実施例を図１に基づいて説明する。
【００２５】
印刷すべき写真（正対）について、まず、正面写真を撮影して正面撮影画像とし、ついで、左右所定角度の撮影をして左側撮影画像、右側撮影画像とした後、透明ニスの為の所定角度撮影を行う。
【００２６】
前記正面撮影画像、左側撮影画像及び右側撮影画像を使用して合成写真を作り、この合成写真を原版として印刷する。次に透明ニスの撮影から原版を作り、この原版を使用して前記合成写真の上に透明ニスを印刷することができる。
【００２７】
ここで、透明ニスは、光線の加減を調整することを目的としており、特に輝く部分の変倚によって、対象物の正面、右向き、左向き等の向きを認識するもので、輝きの位置がずれることにより正対性の錯覚をアピールすることができる。
【００２８】
前記実施例によれば、正対光軸に対し、左右傾斜光軸による画素が若干（例えば２０％）入って、合成写真となっている為に、斜左右方向から視ても、正対感を保有させることができる。
【００２９】
【実施例２】
この発明の他の実施例を図２について説明する。
【００３０】
対象写真１に対し、光軸ＬＯの正対撮影Ａと、光軸Ｌ１Ｏ、Ｌ２Ｏの夫々の斜撮影Ｂ、Ｃをした後、更に光軸Ｌ３Ｏ、Ｌ４Ｏの斜撮影Ｄ、Ｅを行い、前記夫々の撮影Ａ、Ｂ、Ｃ、Ｄ、Ｅに対し、Ａの画素を８０％、Ｂ、Ｃの画素を併せて１０％、Ｄ、Ｅの画素を合わせて１０％とした合成写真を作成する。前記合成写真の上に、例えば、透明画素を左右５０％ずつ合成した合成写真を原版として透明ニスで印刷すれば、この発明を完成することになる。
【００３１】
前記合成写真を原版として使用して印刷し、その上に前記透明ニスを印刷することができる。
【００３２】
前記における角度θは、３°〜３０°あり、Ａの画素は、０％〜９０％用い、Ｂ、ＣとＤ、Ｅの画素は、夫々５０〜５％用いる。また、透明画素は、左右夫々５〜５０％を用いるものとする。
【００３３】
前記のように、各画素の使用量を０％〜９０％とすると共に、角度θは３°〜３０°とすることにより、合成写真上には目立った不都合が無く、何れも均整のとれた合成写真となるものである。
【００３４】
【発明の効果】
この発明によれば、正対光軸に対し、左右角度をなした光軸で撮影した画像から作った合成画像により原版を作成して印刷するので、印刷物は、左右若干の拡がり（例えば正対方向から左右に夫々２０°位）をもって視ても、恰も正対しているような錯覚を有し、正対している物と視られる効果がある。
【図面の簡単な説明】
【図１】この発明の実施例のブロック図。
【図２】同じく光軸の相違を示す概念図。
【符号の説明】
１  写真
【図１】
0004247316.tif 000002
【図２】
0004247316.tif 000003